(57)【要約】【課題】前枠に設けられた基板ユニット内に異物が進入してしまうことを防止する。【解決手段】制御基板が収容される中枠と、該中枠に対して開閉自在に設けられた前枠とを備える遊技機であって、前枠は、中枠に対して開閉自在に設けられた本体部１３０と、遊技の進行に応じた演出を実行する演出装置と、演出装置を制御する演出制御基板（演出照明装置制御基板１５０）、および、演出制御基板を覆うカバー部材（上カバー部材１５４）を有し、制御基板と接続するために演出制御基板に配置されるコネクタ１５０ａがカバー部材から露出した基板ユニット１３４と、本体部１３０に対して基板ユニット１３４が収容された際にコネクタ１５０ａを覆う、本体部１３０に設けられたリブ部１６０と、を備える。【選択図】図６
2017185070.tif 000002
【特許請求の範囲】
【請求項１】
制御基板が収容される中枠と、該中枠に対して開閉自在に設けられた前枠とを備える遊技機であって、
前記前枠は、
前記中枠に対して開閉自在に設けられた本体部と、
遊技の進行に応じた演出を実行する演出装置と、
前記演出装置を制御する演出制御基板、および、該演出制御基板を覆うカバー部材を有し、前記制御基板と接続するために該演出制御基板に配置されるコネクタが該カバー部材から露出した基板ユニットと、
前記本体部に対して前記基板ユニットが固定された際に前記コネクタを覆う、該本体部に設けられたリブ部と、
を備えることを特徴とする遊技機。
【請求項２】
前記前枠は、前記本体部の前面に配置され、遊技球が排出される受け皿ユニットをさらに備え、
前記基板ユニットは、
前記本体部に固定された際に前記受け皿ユニット内に収容され、該本体部および該受け皿ユニットの間において上方向に前記コネクタが露出していることを特徴とする請求項１に記載の遊技機。
【請求項３】
前記カバー部材は、
前記コネクタの少なくとも上面と対向する位置にコネクタアクセス孔が形成され、
前記リブ部は、
前記コネクタアクセス孔の上方に設けられることを特徴とする請求項１または２に記載の遊技機。
【請求項４】
前記リブ部は、
前記基板ユニットが前記本体部に挿入される際に、移動をガイドするガイド部を備えることを特徴とする請求項１から３のいずれか１項に記載の遊技機。
【発明の詳細な説明】
【技術分野】
【０００１】
本発明は、中枠に対して開閉自在に設けられた前枠に、演出装置を制御するための基板ユニットが設けられた遊技機に関する。
【背景技術】
【０００２】
従来、遊技盤に形成された遊技領域を流下した遊技球が始動口に入球したことを条件として大役抽選が行われ、この大役抽選により大当たりに当選すると、大入賞口が開放される大役遊技が実行可能となる遊技機が知られている。
【０００３】
こうした遊技機においては、中枠に対して開閉自在に設けられた前枠に演出照明装置が配置され、中枠に設けられた制御基板と演出照明装置とが電気的に接続されたものが提案されている（例えば、特許文献１）。
【先行技術文献】
【特許文献】
【０００４】
【特許文献１】特許第５６９２５５０号公報
【発明の概要】
【発明が解決しようとする課題】
【０００５】
ところで、近年の遊技機では、前枠に多数の演出照明装置が配置されるようになってきており、中枠に設けられた制御基板と、前枠に設けられた演出照明装置とを電気的に接続するケーブルの本数も増加する傾向にある。
【０００６】
そこで、中枠に設けられた制御基板と、前枠に設けられた演出照明装置とを直接接続するのではなく、前枠に設けられた演出照明装置を制御するための基板ユニットを前枠に設け、基板ユニットによって、前枠に設けられた演出照明装置を制御することが考えられる。
【０００７】
しかしながら、前枠に基板ユニットを設ける場合には、中枠に設けられた制御基板とケーブルを介して接続するコネクタを基板ユニットに設ける必要があり、コネクタを外部に露出させることになる。このような場合には、基板ユニットにおいて、コネクタを露出させた部分から内部に塵やホコリ等の異物が進入してしまうおそれがある。
【０００８】
本発明は、前枠に設けられた基板ユニット内に異物が進入してしまうことを防止することが可能な遊技機の提供を目的とする。
【課題を解決するための手段】
【０００９】
上記課題を解決するために、本発明の遊技機は、制御基板が収容される中枠と、該中枠に対して開閉自在に設けられた前枠とを備える遊技機であって、前記前枠は、前記中枠に対して開閉自在に設けられた本体部と、遊技の進行に応じた演出を実行する演出装置と、前記演出装置を制御する演出制御基板、および、該演出制御基板を覆うカバー部材を有し、前記制御基板と接続するために該演出制御基板に配置されるコネクタが該カバー部材から露出した基板ユニットと、前記本体部に対して前記基板ユニットが固定された際に前記コネクタを覆う、該本体部に設けられたリブ部と、を備える。
【００１０】
また、前記前枠は、前記本体部の前面に配置され、遊技球が排出される受け皿ユニットをさらに備え、前記基板ユニットは、前記本体部に固定された際に前記受け皿ユニット内に収容され、該本体部および該受け皿ユニットの間において上方向に前記コネクタが露出しているとよい。
【００１１】
また、前記カバー部材は、前記コネクタの少なくとも上面と対向する位置にコネクタアクセス孔が形成され、前記リブ部は、前記コネクタアクセス孔の上方に設けられるとよい。
【００１２】
また、前記リブ部は、前記基板ユニットが前記本体部に挿入される際に、移動をガイドするガイド部を備えるとよい。
【発明の効果】
【００１３】
本発明によれば、前枠に設けられた基板ユニットに異物が進入してしまうことを防止することができる。
【図面の簡単な説明】
【００１４】
【図１】扉が開放された状態を示す遊技機の斜視図である。
【図２】前枠の分解斜視図である。
【図３】前枠の背面斜視図である。
【図４】基板ユニットの構成を説明する図である。
【図５】リブ部の構成を説明する図である。
【図６】本体部に基板ユニットが挿入された状態を示す図である。
【図７】図６におけるＶＩＩ−ＶＩＩ断面図である。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
図１は、本実施形態の遊技機１００の斜視図であり、扉が開放された状態を示している。なお、以下の説明において、遊技機１００に正対した遊技者から見て左側を左方向とし、遊技機１００に正対した遊技者から見て右側を右方向とし、遊技機１００に正対した遊技者から見て上側を上方向とし、遊技機１００に正対した遊技者から見て下側を下方向とし、遊技機１００に対して遊技者側を前方向とし、遊技機１００に対して遊技者とは反対側を後方向として説明する。
【００１７】
図１に示すように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００１８】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１９】
前枠１０６の下部には、遊技機１００の前面側に突出する操作ハンドル１１２（図２参照）が設けられている。この操作ハンドル１１２は、遊技者が回転操作可能に設けられており、遊技者が操作ハンドル１１２を回転させて発射操作を行うと、操作ハンドル１１２の回転角度に応じた強度で、不図示の発射機構によって遊技球が発射される。そして、発射機構によって発射された遊技球は、遊技盤１０８と透過板１１０との間隔によって形成される遊技領域に導かれ、遊技盤１０８に設けられた多数の釘や風車に衝突して、不規則な方向に流下、転動する。なお、遊技領域には、一般入賞口、始動口が設けられ、これら一般入賞口、始動口に遊技球が入球すると、所定の賞球が遊技者に払い出される。
【００２０】
また、始動口に遊技球が入球すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、始動口に遊技球が入球すると、所定の賞球を獲得するのと同時に、種々の遊技利益を受ける権利獲得の機会を獲得することとなる。
【００２１】
また、遊技領域には、大入賞口が設けられている。そして、通常、遊技球の入球を不可能とする閉状態に維持された大入賞口は、前述の大役遊技が実行されると、遊技球の入球が可能となり、大入賞口に遊技球が入球すると、所定の賞球が遊技者に払い出される。
【００２２】
また、遊技機１００には、遊技の進行中等に演出を行う演出装置として、液晶表示装置からなる演出表示装置１１４、可動装置からなる演出役物装置１１６、スピーカからなる音声出力装置１１８、さまざまな点灯態様や発光色に制御されるランプからなる演出照明装置１２０、遊技者の操作を受け付ける演出操作装置１２２（図２参照）が設けられている。
【００２３】
これら演出表示装置１１４、演出役物装置１１６、音声出力装置１１８、演出照明装置１２０および演出操作装置１２２は、中枠１０４内に設けられた制御基板の制御に基づいて所定の演出を行う。
【００２４】
演出表示装置１１４は、画像を表示する画像表示部を備えており、この画像表示部が、遊技盤１０８の略中央部分において、遊技機１００の正面側から視認可能に中枠１０４内に配置されている。
【００２５】
演出役物装置１１６は、中枠１０４内において演出表示装置１１４よりも前面に配置され、通常、遊技盤１０８の背面側に退避しているが、遊技の進行中などに、演出表示装置１１４の前面まで可動して、遊技者に大当たりの期待感を付与するものである。
【００２６】
音声出力装置１１８は、外枠１０２の最下部位置に設けられ、演出表示装置１１４に表示される画像等に合わせて、遊技機１００の正面側に向けてさまざまな音声を出力する。
【００２７】
演出照明装置１２０は、前枠１０６や遊技盤１０８等に設けられており、演出表示装置１１４に表示される画像等に合わせて、さまざまに点灯制御される。
【００２８】
図２は、前枠１０６の分解斜視図であり、図３は、前枠１０６の背面斜視図である。図２に示すように、前枠１０６は、本体部１３０、受け皿ユニット１３２および基板ユニット１３４を含んで構成される。
【００２９】
本体部１３０には、上記した操作ハンドル１１２が右下位置に設けられているとともに、透過板１１０を囲むように複数の演出照明装置１２０が配置されている。
【００３０】
また、本体部１３０には、透過板１１０の下方に、前面側から着脱可能に受け皿ユニット１３２が配置される。受け皿ユニット１３２には、遊技機１００から払い出される賞球や、遊技球貸出装置から貸し出される遊技球が導かれる受け皿１４０が形成されるとともに、当該受け皿１４０から遊技球を排出するための球抜き孔（不図示）が形成されている。この球抜き孔は、通常、開閉板（不図示）によって閉じられているが、球抜きボタン１４２を押圧させることにより、当該球抜きボタン１４２と一体となって開閉板がスライドし、球抜き孔から受け皿１４０の下方に遊技球を排出することが可能となっている。
【００３１】
また、受け皿ユニット１３２には、幅方向略中央位置であって、受け皿１４０の前方に演出操作装置１２２が設けられている。演出操作装置１２２は、遊技者の押下操作を受け付けるボタンで構成され、演出表示装置１１４に表示される画像等に合わせて有効化されるものであり、操作有効時間内に遊技者の操作を受け付けると、当該操作に応じて、さまざまな演出が実行される。
【００３２】
ここで、近年の遊技機１００では、前枠１０６に多数の演出照明装置１２０が設けられることが多くなってきており、中枠１０４に設けられた制御基板に対して、前枠１０６に設けられた演出照明装置１２０それぞれに対してケーブルを介して接続するとなると、ケーブルの本数が多くなってしまうといった問題が発生する。
【００３３】
そこで、遊技機１００では、前枠１０６に設けられた演出照明装置１２０に対して、中枠１０４に設けられた制御基板と直接ケーブルを介して接続せずに、前枠１０６に設けられた基板ユニット１３４を介して接続することで、中枠１０４に設けられた制御基板と、前枠１０６とに掛け渡されるケーブルの本数を削減することが可能となる。
【００３４】
基板ユニット１３４は、中枠１０４に設けられた制御基板にケーブルを介して接続され、制御基板から送信される信号に基づいて、前枠１０６に設けられた演出照明装置１２０を制御する。
【００３５】
基板ユニット１３４は、詳しくは後述するように、本体部１３０の下方位置に設けられた貫通孔１３０ａから、受け皿ユニット１３２に形成された収納空間（不図示）に対して後方側から挿入され、収納空間内に収容される。そして、基板ユニット１３４は、受け皿ユニット１３２の収容空間内に収容された後、図３に示すように、固定部材１３６によって前枠１０６の背面側から固定される。
【００３６】
図４は、基板ユニット１３４の構成を説明する図である。図４（ａ）は、基板ユニット１３４の分解斜視図を示し、図４（ｂ）は、基板ユニット１３４の組立図を示す。図４（ａ）に示すように、基板ユニット１３４は、演出照明装置制御基板１５０、下カバー部材１５２、上カバー部材１５４、および、上カバー部材１５４を下カバー部材１５２に固定するためのピン１５６を含んで構成される。
【００３７】
演出照明装置制御基板１５０は、演出照明装置１２０を制御するための回路が設けられているとともに、中枠１０４に設けられた制御基板とケーブルを介して接続するためのコネクタ１５０ａが複数（本実施形態では３つ）設けられている。
【００３８】
下カバー部材１５２および上カバー部材１５４は、重なりあった際に内部に空間が形成され、その空間内に演出照明装置制御基板１５０が収容される。
【００３９】
上カバー部材１５４は、下カバー部材１５２および上カバー部材１５４が重なりあった際に、演出照明装置制御基板１５０のコネクタ１５０ａの上面および前面と対向する位置にコネクタアクセス孔１５４ａが形成されている。したがって、コネクタ１５０ａは、図４（ｂ）に示すように、下カバー部材１５２および上カバー部材１５４に収容された際に、コネクタアクセス孔１５４ａを介して外部に上方向に露出することになる。
【００４０】
また、上カバー部材１５４は、演出照明装置制御基板１５０と対向する上面部１５４ｂのうち、最も上方に形成され水平方向に延在する延在部１５４ｃと、延在部１５４ｃと同一の高さを有し、延在部１５４ｃに対して離隔した突起部１５４ｄと、延在部１５４ｃと突起部１５４ｄとの間であって、延在部１５４ｃおよび突起部１５４ｄよりも一段低い位置で水平方向に沿って延在する窪み部１５４ｅとが形成されている。
【００４１】
演出照明装置制御基板１５０は、下カバー部材１５２および上カバー部材１５４内に収容された後、コネクタアクセス孔１５４ａを通してケーブルの先端に設けられたコネクタが、コネクタ１５０ａに着脱されることになる。このとき、作業者は、コネクタ１５０ａの上面側に設けられた係合部１５０ｂに、ケーブルの先端に設けられたコネクタの爪部を係合および取外させる。そのため、上カバー部材１５４には、コネクタ１５０ａの上面側に指を入れるためのコネクタアクセス孔１５４ａが必要となっている。
【００４２】
基板ユニット１３４では、演出照明装置制御基板１５０の大部分が下カバー部材１５２および上カバー部材１５４に覆われていて、演出照明装置制御基板１５０に対して外部から塵、ホコリ、鉄粉、液体などの異物が付着してしまうことを防止している。しかしながら、演出照明装置制御基板１５０におけるコネクタアクセス孔１５４ａと対向する部分は、ケーブルを接続する関係上、開口していなければならず、異物が進入してしまう可能性がある。そこで、遊技機１００では、本体部１３０に、前面側に突出するリブ部１６０（図２参照）が設けられている。
【００４３】
図５は、リブ部１６０の構成を説明する図である。図５に示すように、本体部１３０には、貫通孔１３０ａの上端に、前面側に突出するリブ部１６０が形成されている。リブ部１６０は、貫通孔１３０ａの上端に沿って左右方向に延在する防塵部１６０ａと、防塵部１６０ａよりも一段低い位置で左右方向に延在するガイド部１６０ｂとが一体形成されている。また、リブ部１６０は、本体部１３０に基板ユニット１３４が収容された際のコネクタアクセス孔１５４ａの位置よりも前方側まで延在している。
【００４４】
図６は、受け皿ユニット１３２に基板ユニット１３４が挿入された状態を示す図であり、図７は、図６におけるＶＩＩ−ＶＩＩ断面図を示す。図６および図７に示すように、基板ユニット１３４は、貫通孔１３０ａに挿入される際、リブ部１６０のガイド部１６０ｂが窪み部１５４ｅと対向接触するように挿入される。このとき、ガイド部１６０ｂが窪み部１５４ｅに嵌っているため、基板ユニット１３４の左右方向の移動が制限され、作業者はスムーズに基板ユニット１３４を前後方向に移動させることができる。
【００４５】
そして、基板ユニット１３４が受け皿ユニット１３２（図２参照）内に完全に収容された状態で、コネクタ１５０ａ（コネクタアクセス孔１５４ａ）の上側には、リブ部１６０が延在し、リブ部１６０によってコネクタアクセス孔１５４ａが覆われることになる。
【００４６】
このように、リブ部１６０がコネクタアクセス孔１５４ａの上方に位置することで、本体部１３０と受け皿ユニット１３２との間から、基板ユニット１３４に降りかかる異物をリブ部１６０で受け止め、基板ユニット１３４内に異物が進入してしまうことを防止することができる。
【００４７】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４８】
例えば、上述した実施形態において、本発明の演出制御基板に相当する演出照明装置制御基板１５０が、前枠１０６に設けられた演出照明装置１２０を制御するようにしたが、これに限らず、前枠１０６に設けられた演出装置（例えば、演出操作装置１２２）を制御するようにしてもよい。
【００４９】
また、上述した実施形態において、上カバー部材１５４およびリブ部１６０の形状は一例に過ぎず、他の形状であってもよい。
【００５０】
また、上述した実施形態において、受け皿ユニット１３２が本体部１３０と別体に設けられるようにしたが、これに限らず、一体に形成されていてもよい。この場合、基板ユニット１３４は、本体部１３０内に収容されることになる。
【符号の説明】
【００５１】
１００  遊技機
１０４  中枠
１０６  前枠
１２０  演出照明装置
１３０  本体部
１３０ａ  貫通孔
１３２  受け皿ユニット
１３４  基板ユニット
１５０  演出照明装置制御基板（演出制御基板）
１５０ａ  コネクタ
１５２  下カバー部材（カバー部材）
１５４  上カバー部材（カバー部材）
１５４ａ  コネクタアクセス孔
１６０  リブ部
１６０ｂ  ガイド部
【図１】
2017185070.tif 000003
【図２】
2017185070.tif 000004
【図３】
2017185070.tif 000005
【図４】
2017185070.tif 000006
【図５】
2017185070.tif 000007
【図６】
2017185070.tif 000008
【図７】
2017185070.tif 000009